(57)【特許請求の範囲】
【請求項１】
走行可能に設けられる台座部と、該台座部に立設される支柱によって下方から片持ち的に支持される担架部と、を有するストレッチャーと、
水受槽を有し、該水受槽におけるストレッチャー受入側である正面側に割部を設けたシャワー浴槽と、
を具備し、
ストレッチャーは、前記支柱が前記水受槽の前記割部に挿入されるまでシャワー浴槽に押し入れ可能であって、
ストレッチャーをシャワー浴槽に押し入れた際に、前記担架部は前記水受槽の上側に位置し、前記支柱の上部寄りの部分が前記割部に挿入された状態になる
ことを特徴とするシャワー入浴装置。
【請求項２】
前記担架部の足部寄りの位置にはガイドローラが設けてあり、
前記水受槽には、前記割部に連続してガイド溝が前後方向に延設されており、
前記ガイドローラとガイド溝とは、ストレッチャーをシャワー浴槽に押し入れる際に、該ガイドローラが該ガイド溝に案内される位置関係に構成されているか、又はそのように調節することが可能な請求項１記載のシャワー入浴装置。
【請求項３】
前記支柱の上端周辺部は水受部材で覆われていて、ストレッチャーをシャワー浴槽に充分押し入れた際に、該水受部材は前記割部を覆うと共に、該水受部材の周辺縁は前記水受槽の範囲内に位置している請求項１又は２記載のシャワー入浴装置。
【請求項４】
前記支柱の下部の周辺部はストレッチャーに設けた水受体で覆われている請求項１〜３の何れか１記載のシャワー入浴装置。
【請求項５】
前記シャワー浴槽には、前記水受槽よりも上方位置であって、ストレッチャーをシャワー浴槽に押し入れた際に、概ね担架部の側方に位置する側方シャワー配管を設けており、更には、該側方シャワー配管よりも上方位置に上方シャワー配管を設けており、該側方シャワー配管も上方シャワー配管もフレーム構造体と連結されている請求項１〜４の何れか１記載のシャワー入浴装置。
【請求項６】
前記側方シャワー配管も上方シャワー配管も、配管内の水を排出可能な排出口に向かって下がるよう傾斜している請求項５記載のシャワー入浴装置。
【請求項７】
前記割部の幅と前記支柱の幅とが略同等である請求項１〜６の何れか１記載のシャワー入浴装置。
【請求項８】
前記担架部の左右には、サイドフェンスが設けられている請求項１〜７の何れか１記載のシャワー入浴装置。
【発明の詳細な説明】
【技術分野】
【０００１】
本発明は、被介護者や病人等が、ストレッチャーに横たわってシャワー入浴を行うシャワー入浴装置に関する。
【背景技術】
【０００２】
担架部付きのストレッチャーを使用し、ドーム型のシャワー浴槽の中にストレッチャーを押し入れ、温水シャワーによって入浴する装置の開示として、下記特許文献１、特許文献２、特許文献３等がある。ストレッチャーはシャワー浴槽の奥にまで押し入れて使用するため、各特許文献に開示されているストレッチャーは、入浴者の頭部位置近くを支持する支柱に対して、担架部の大部分が片持ち的に足元部方向にオーバーハングして支持されている。
【先行技術文献】
【特許文献】
【０００３】
【特許文献１】特開平６−２３００９号公報
【特許文献２】特開２０００−１０７２５３号公報
【特許文献３】特開２００３−２５０８５７号公報
【発明の概要】
【発明が解決しようとする課題】
【０００４】
このため、担架部に入浴者が横たわると、入浴者の体重が加わり、担架部は前記支柱に対して振れ易くなる。特に、入浴者自身で、或いは介助者によって、入浴者を仰向きから横向きに体位を変化させたりした場合に、非常に不安定になり易い。特許文献１では、ストレッチャーの車輪近くの低い位置に設けた左右１対のガイド板６６がシャワー浴槽下部のガイド凸部１７を挟む構造としており、これがストレッチャーの横移動を規制している。また、特許文献２でも、ストレッチャーの車輪の高さ位置に、台車ガイド５０と導車ガイド５１が設けられており、これによってストレッチャーの横移動が規制される。しかし、これらの横移動規制手段は、その設置位置が担架部の高さ位置からは低過ぎ、このため担架部の横揺れ防止には効果的ではない。
依って本発明は、シャワー入浴の際のストレッチャー担架部の横揺れを防止するシャワー入浴装置の提供を目的とする。
【課題を解決するための手段】
【０００５】
上記課題に鑑みて本願第１の発明は、担架部と、該担架部を支持する支柱を有するストレッチャーと、
水受槽を有し、該水受槽におけるストレッチャー受入側である正面側に割部を設けたシャワー浴槽と
を具備し、ストレッチャーは、前記支柱が前記水受槽の前記割部に挿入されるまでシャワー浴槽に押し入れ可能であって、押し入れた際に前記担架部は前記水受槽の上側に位置する
ことを特徴とするシャワー入浴装置を提供する。
【０００６】
第２の発明では、第１の発明の前記担架部の足部寄りの位置にはガイドローラが設けてあり、
前記水受槽には、前記割部に連続してガイド溝が前後方向に延設されており、
前記ガイドローラとガイド溝とは、ストレッチャーをシャワー浴槽に押し入れる際に、該ガイドローラが該ガイド溝に案内される位置関係に構成されているか、又はそのように調節することが可能なよう構成する。
【０００７】
第３の発明では、第１又は第２の発明の前記支柱の上端周辺部は水受部材で覆われていて、ストレッチャーをシャワー浴槽に充分押し入れた際に、該水受部材は前記割部を覆うと共に、該水受部材の周辺縁は前記水受槽の範囲内に位置しているよう構成する。
第４の発明では、第１〜第３の発明の前記支柱の下部の周辺部はストレッチャーに設けた水受体で覆われているよう構成する。
【０００８】
第５の発明では、第１〜第４の発明の前記シャワー浴槽には、前記水受槽よりも上方位置であって、ストレッチャーをシャワー浴槽に押し入れた際に、概ね担架部の側方に位置する側方シャワー配管を設けており、更には、該側方シャワー配管よりも上方位置に上方シャワー配管を設けており、該側方シャワー配管も上方シャワー配管もフレーム構造体と連結されているよう構成する。
【０００９】
第６の発明では、第５の発明の前記側方シャワー配管も上方シャワー配管も、配管内の水を排出可能な排出口に向かって下がるよう傾斜している。
第７の発明では、第１〜第６の発明の前記シャワー浴槽は、前記水受槽の下方では、水受槽正面側の左右部と後方側とに設けた各脚部と、該各脚部近傍に設けた備品以外は、設置床への掃除具のアプローチを妨げる着脱不能な部材が設けられていない。
第８の発明では、第１〜第７の発明の前記担架部の左右には、サイドフェンスが設けられている。
【発明の効果】
【００１０】
第１の発明では、ストレッチャーの支柱が水受槽の割部に挿入された位置でシャワー入浴装置を使用できるため、担架部が横揺れしようとしても、支柱が割部を介して水受槽に干渉して担架部の横揺れが規制される。また、この割部は水受槽に設けているため、その干渉高さ位置は従来の車輪位置近くとは異なって高い位置であるため、担架部が安定する。また、支柱も水受槽も、ストレッチャー或いはシャワー浴槽の骨組となる構造体であり、剛性が高いので、担架部がより安定する。
【００１１】
第２の発明では、水受槽のガイド溝と担架部のガイドローラとが係合するため、担架部は、頭部寄りの支柱と足部寄りのガイドローラとによってその横揺れが防止できるため、より安定する。
第３の発明では、支柱上端の水受部材が、担架部（の上）からの水を受け、その水が割部に侵入することを防止しつつ、その水を水受部材周辺縁から水受槽に落とすことができる。
第４の発明では、シャワーに使用した水が、仮に割部を介して下方に落下しても、支柱下部周辺に設けた水受体が受け止め、設置床を濡らすことを防止できる。
【００１２】
第５の発明では、側方シャワー配管も上方シャワー配管も水を流す機能のみならず、フレーム構造体と連結されていて、外装パネル等を装着させる際のフレーム構造体の一部としても利用できる。また、側方シャワー配管は担架部の側方に位置しているため、入浴者の側方からシャワーを散布できる。このため、シャワー水を体の背部にも至らしめることができる。また、体を横向けられる入浴者の場合は自分で、或いは介助者の介助によって体を横に向ければ、背にもシャワーが可能である。こうした側方シャワーが可能であるので、担架部の下方から上方に向かって吹き上げるシャワーは無くてもよくなる。下方から上方に向かって吹き上げるシャワーは、長患いの入浴者が急に失禁した際に、シャワー入浴装置全体が汚れることになるが、側方シャワーではそうした不都合を防止できる。
【００１３】
第６の発明では、側方シャワー配管も上方シャワー配管も、配管内の水を排出可能な排出口に向かって下がるよう傾斜しているため、シャワー湯の温度に急変化が有ったような際に、適宜なコントローラによってその湯の供給を停止させると共に、排出口を塞いでいる電磁弁等を開放させて配管内の水を排出させたい場合に、実質的な遅れ無しで配管内の湯を排出させることができる。従って、許容温度範囲外の湯を不用意に入浴者にかけてしまうような不都合が防止できる。
【００１４】
第７の発明では、シャワー浴槽は水受槽の下方では脚部とその付近の備品以外は、設置床への掃除具のアプローチを妨げる着脱不能な部材は設けられていないため、容易に掃除等のメンテナンスができる。
第８の発明では、担架部の左右にサイドフェンスが設けられているため、ストレッチャーに乗った入浴者が安全である他、上記第５の発明の説明のように入浴者の体位を変える際に、入浴者がサイドフェンスを掴むことで、体位の変更が容易となる。
【図面の簡単な説明】
【００１５】
【図１】本発明に係るシャワー入浴装置の使用状態における主たる構造体を示す部分断面の側面図である。
【図２】図１の上面図である。
【図３】図１の右側から見た正面図である。
【図４】図１のシャワー入浴装置の内のシャワー浴槽の側面図と上面図と正面図である。
【図５】図４のシャワー浴槽構造体に外装パネルや備品を装着させた外観図である。
【発明を実施するための形態】
【００１６】
以下、本発明を添付図面を用いて更に詳細に説明する。本発明のシャワー入浴装置は、装置本体部と言えるシャワー浴槽１０と、ストレッチャー５０とを有する。ストレッチャー５０はこの例では車輪Ｗを設けており、走行可能な台座部３０と、該台座部に立設した２本の支柱３２によって支持、保持された担架部４０とを有している。支柱３２の数は１本でも３本以上でもよい。また、この例では、支柱３２の高さは一定であるが、高さ調節機能を有していてもよい。
【００１７】
シャワー浴槽１０は主に図４に図示するが、他の図１〜図３等も参照する。このシャワー浴槽１０は水平状態に設置する水受槽１２を有し、該水受槽１２は、正面（図１で言って右側）寄りの位置の左右１対の脚部Ｋ１によって支持されている。また、水受槽１２の後方側（図１で言って左側）は、図示しない給湯設備やコントローラを装着させるフレーム構造体を兼ねた脚部Ｋ２によって支持されている。この例では、水受槽１２の本体部は繊維強化合成樹脂材（ＦＲＰ）で形成されている。一方、水受槽１２の上側には、シャワー器具Ｎ１，Ｎ２（図３等）に湯を供給する配管Ｐ１，Ｐ２が設けられている。まず、後方部において、図３等に形状が明示されているように、水受槽１２の左右各部から上方に延伸した配管が上方で連結連通した半円状或いはコ字状の基本配管Ｐ０を設けている。
【００１８】
この基本配管Ｐ０の下方部に、水受槽１２の長手方向に沿った側方シャワー配管Ｐ１を接続させ、上方部に同長手方向に沿った上方シャワー配管Ｐ２を設けている。シャワー浴槽１０にストレッチャー５０を組み入れた（押し入れた）使用状態では、前記側方シャワー配管Ｐ１は担架部４０の側方に位置する。側方シャワー配管Ｐ１は、水受槽１２の左右同じ高さ位置に１対設けており、また、上方シャワー配管Ｐ２も、同じ高さ位置に左右１対設けている。更には、側方シャワー配管Ｐ１と上方シャワー配管Ｐ２との間の高さ位置には、水を流さないフレーム構造体Ｆが前記基本配管Ｐ０と固定連結されている。また、このフレーム構造体Ｆの正面側部位は、水受槽１２に対して下降延伸して該水受槽１２に固定されている。
【００１９】
側方シャワー配管Ｐ１の正面側端部は前記フレーム構造体Ｆに固定連結されており、上方シャワー配管Ｐ２も、その正面側端部を図５に図示する操作盤ＭＳを装着させるフレーム体Ｆ’を介してフレーム構造体Ｆに固定連結されている。
上記の如く、基本配管Ｐ０と側方シャワー配管Ｐ１と上方シャワー配管Ｐ２とは、フレーム構造体Ｆと固定連結されていて、水を流す配管としての役割の他、フレーム構造体としても役立つ。
【００２０】
側方シャワー配管Ｐ１と上方シャワー配管Ｐ２は、共にシャワー浴槽１０の後端部の図示しない排出口に向かって下がる方向に傾斜している。その排出口は、図示しない電磁弁によって開閉可能である。
【００２１】
水受槽１２の正面側には割部１２Ｗが設けられている。図２や図４に示すように、この割部１２Ｗは水受槽１２の左右幅の中央に幅狭で設けられ、正面側から後方側に向かって、即ち、水受槽１２の長手方向に沿って所定の長さ延設されている。また、割部１２Ｗの入口は、外方向（図２の右方向；正面側方向）に向かって拡径している。更に、ガイド溝１２Ｇが、平面視において割部１２Ｗと同じ中心線を有して、この割部１２Ｗの入口から水受槽１２の後方端部近くにまで割部１２Ｗの延設方向に延伸して設けられている。しかし、割部１２Ｗと中心線を共有することなく、別ラインの溝として形成してもよい。
【００２２】
既述したストレッチャー５０につき、更に詳細に説明する。担架部４０の頭部には枕４８が設けられており、その下側には頭部洗髪用の水受皿４６が着脱可能に設けられている。また、担架部４０の長手方向中央部付近には、サイドフェンス４４が左右に設けられている。担架部４０の水受皿４６の後方端部付近、或いは、サイドフェンス４４の正面側端部付近の担架部下面部には、矩形状の水受部材４２が水平に設けられている。また、既述の支柱３２はこの水受部材４２を介して担架部４０を台座部３０に保持固定している。水受部材４２の正面側縁（図２の右側縁）は、１対の支柱３２の正面側縁よりも、正面側（図２の右側）寄りに位置し、後側縁は１対の支柱３２の後面側縁よりも後側寄りに位置している。こうして担架部４０の胴部と足部の側は、頭部側の端よりも足部寄りに位置している前記支柱３２に対して、頭部側よりも長くオーバーハングした状態になっている。
【００２３】
前記担架部４０の下面側には、担架部の長手方向端部（足部の端部）であって、左右幅の中心位置にガイドローラＲ１が上下方向軸を中心軸として回転自在に装着されている。また、この例では、担架部の足部付近と前記水受部材４２の後方側端部に、ガイドローラＲ２，Ｒ３が前記ガイドローラＲ１と同様に設けられている。このため、シャワー浴槽１０に対してストレッチャー５０を押し入れる際に、まず最初にガイドローラＲ１が、水受槽１２に設けた割部１２Ｗと重ねて形成されているガイド溝１２Ｇに係合して案内される。そして、順次、ガイドローラＲ２，Ｒ３が係合して案内され、最後に支柱３２が割部１２Ｗに侵入する。そして支柱３２が割部１２Ｗの奥端部に当接するまでストレッチャー５０を押し入れる。
【００２４】
水受槽１２の本体部は繊維強化樹脂製の一体物であるが、割部１２Ｗの割開口を囲む縁部領域は、繰り返しの使用によって支柱３２との干渉等によって摩耗、損傷し得るので、交換可能な適宜な別部品を、前記割開口を囲む縁部領域の本体部に対して取り外し可能に装着させている。
【００２５】
そして、図１に示すように、ストレッチャー５０が奥まで充分に押し入れられた状態では、既述の水受部材４２の後側縁は割部１２Ｗの奥端よりも更に奥側（図１の左側、シャワー入浴装置の後方側）にまで至っており、また、その左右側縁は、夫々、割部１２Ｗの幅を越えている。従って、図２の平面視において水受部材４２は割部１２Ｗを実質的に覆っている。従って、シャワー器具Ｎ１，Ｎ２を介して散布された水の内、水受部材４２が受けた水は、その水を水受部材４２の周辺縁から水受槽１２に流れ落とすことができる。従って、水受部材４２の周辺部は、家の屋根のように傾斜していてもよい。シャワー器具Ｎ１，Ｎ２を介して散布された水は、上記の水受部材４２以外では水受槽１２が受ける。こうして割部１２Ｗから水が漏れることは実質的に防止される。また、図１に示されるように水受槽１２の内面（底面）１２Ｍは、後方端部の排水口部１２Ｓに向かって下がるように傾斜している。
【００２６】
更に、台座部３０の支柱３２の下部周辺は、台座部３０に設けた水受体３４で覆われている。従って、仮に何らかの原因で水滴が支柱３２を伝わって下方に落下してきたとしても、その水滴はこの水受体３４で受けることができる。この水受体３４の後方側下部には水抜栓３４Ｓが設けられている。また、平面視において、この水受体３４の正面側領域は水受皿４６の後方側領域と重合している。
【００２７】
こうして設置床への水漏れを防止した本願シャワー入浴装置では、ストレッチャー５０の担架部４０に入浴者が横たわっていて体位を変更等した際に、担架部４０が横揺れしようとしても、丈夫な支柱３２と水受槽１２の割部１２Ｗとの干渉によってその揺れを規制でき、また、ガイドローラＲ１等とガイド溝１２Ｇとの係合作用によって横揺れが防止される。こうした支柱３２と割部１２Ｗとの干渉も、ガイドローラＲ１等とガイド溝１２Ｇとの係合も、その高さ位置は、水受槽１２の高さ位置であるため、既述の特許文献のものと比べても、充分に担架部４０に近く、このため、担架部の横揺れを効果的に防止可能な構造となっている。
【００２８】
仰向け状態の入浴者が、上方位置のシャワー器具Ｎ１によって体の前面にお湯のシャワーを浴び、また側方のシャワー器具Ｎ２によって体の側方からシャワーを浴びる。しかし、それだけではなく、背面側にもシャワーを直接に浴びたい場合は、サイドフェンス４４を手で掴んで体位を横向きに変更するとよい。入浴者自身で体位変更ができない者は介助者の助けによって変更する。この場合も、入浴者自身がサイドフェンス４４を手で掴むことで体位変更が容易になる。
【００２９】
また、担架部４０の表面部材は、一般家庭の風呂場の洗い場に敷くマットのような、適宜な硬さのマット（発泡ＥＶＡ等）で形成し、このマットに適宜な間隔で複数の孔を穿っており、マットから水を下方に落下させることができる。また、マットの表面に多数の滑らかな凹凸を形成しておけば、先の入浴者が入浴を終了し、その後短時間で入浴者が入れ替わった際に、複数の孔の存在にも拘わらず、マットに多少の水滴が残った場合でも、それらの水滴が多数の凹凸の凹部に落ち込み、後の入浴者の背中が濡れて不快感を抱くことを防止できる。
【００３０】
図４で示すシャワー浴槽１０の構造体に、外装パネル材等を装着させた完成品の図を図５に示している。ドームカバーＣ１、後面カバーＣ２、正面カバーＣ３、夫々窓部ＷＤを設けた左右１対の側面カバーＣ４を装着させてドーム状のシャワー浴槽１０を形成し、その他に、脚部Ｋ１とＫ２には、夫々、脚カバーを装着させて脚部Ｋ１’，Ｋ２’としている。また、正面カバーＣ３にはカーテンＣＣを装着させている。脚部Ｋ１’の傍にはハンドシャワーＨＳを装着している。更には、この例では、後方側脚部Ｋ２’の正面側には、直方体状のシャンプー液タンクＳと洗浄薬タンクＹとを左部と右部に装着させており、夫々は、必要時に操作盤ＭＳの操作によってシャワー湯の中に混合することができる。
【００３１】
図５に示すように、水受槽１２の下方では、シャワー浴槽１０の正面側の左右部と後方側とに設けた各脚部Ｋ１’，Ｋ２’と、該各脚部近傍に設けたハンドシャワーＨＳ、タンクＳ，Ｙという備品以外は、設置床への掃除具のアプローチを妨げる部材は設けられておらず、空間ＫＫとなっている。従って、水受槽１２の下方は大きく開放されていると言え、掃除が容易となり、メンテナンスが容易である。
【産業上の利用可能性】
【００３２】
本発明は、被介護者や病人等が、ストレッチャーに横たわってシャワー入浴を行うシャワー入浴装置として利用できる。介護施設や病院等で利用可能である。
【符号の説明】
【００３３】
１０                    シャワー浴槽
１２                  水受槽
１２Ｇ              ガイド溝
１２Ｗ              割部
Ｆ                    フレーム構造体
Ｐ１                  側方シャワー配管
Ｐ２                  上方シャワー配管
５０                    ストレッチャー
３０                  台座部
３２                支柱
３４                水受体
４０                  担架部
４２                水受部材
４４                サイドフェンス
Ｒ１，Ｒ２，Ｒ３    ガイドローラ
【図１】
0005791923.tif 000002
【図２】
0005791923.tif 000003
【図３】
0005791923.tif 000004
【図４】
0005791923.tif 000005
【図５】
0005791923.tif 000006